(57)【要約】【課題】本体を大型化することがなく、しかも設置容易な人体乾燥装置を提供する。【解決手段】衛生洗浄装置を収納する本体の本体ケース４に設けられた乾燥ノズル２４と、本体ケース４外に設けられて乾燥ノズル２４に接続される蓄圧手段２３とを備え、蓄圧手段２３は、空気を加圧する加圧手段と、加圧された高圧空気を蓄える蓄圧タンクと、これらを保持する収納ケースとを有し、蓄圧タンクを開閉弁を介して乾燥ノズル２４に接続している。収納ケースは蓄圧タンクで兼用し、加圧手段を蓄圧タンクに収納し、開閉弁を蓄圧タンクに取付けることが可能である。また蓄圧手段２３をトイレ内またはトイレ外に設置することが可能である。【選択図】　図１
2004092113.tif 000002
【特許請求の範囲】
【請求項１】
衛生洗浄装置を収納する本体に設けられた乾燥ノズルと、前記本体外に設けられて前記乾燥ノズルに接続される蓄圧手段とを備え、前記蓄圧手段は、空気を加圧する加圧手段と、加圧された高圧空気を蓄える蓄圧タンクと、これらを保持する収納ケースとを有し、前記蓄圧タンクを開閉弁を介して前記乾燥ノズルに接続した人体乾燥装置。
【請求項２】
収納ケースを蓄圧タンクで兼用し、加圧手段を蓄圧タンクに収納し、開閉弁を前記蓄圧タンクに取付けた請求項１記載の人体乾燥装置。
【請求項３】
蓄圧手段をトイレ内に設置した請求項１または請求項２記載の人体乾燥装置。
【請求項４】
蓄圧手段をトイレ外に設置した請求項１または請求項２記載の人体乾燥装置。
【請求項５】
蓄圧手段を本体の側部に設置した請求項１または請求項２記載の人体乾燥装置。
【請求項６】
蓄圧手段を本体に接続手段を介して接続する請求項５記載の人体乾燥装置。
【請求項７】
接続手段は空気経路と電気経路からなる請求項６記載の人体乾燥装置。
【請求項８】
本体に蓄圧手段を設置する蓄圧手段設置部を設けた請求項１または請求項２記載の人体乾燥装置。
【請求項９】
蓄圧手段設置部を着脱自在に設けた請求項８記載の人体乾燥装置。
【請求項１０】
本体に蓄圧手段を載せる蓄圧手段設置部を設け、蓄圧手段を蓄圧手段設置部に載せた状態で前記蓄圧手段が本体に差し込み可能となる接続手段を設けた請求項１または請求項２記載の人体乾燥装置。
【発明の詳細な説明】
【０００１】
【発明の属する技術分野】
本発明は、例えばシャワーや衛生洗浄便座等に適用される衛生洗浄装置の洗浄後の乾燥等に使用する人体乾燥装置にするものである。
【０００２】
【従来の技術】
従来の衛生洗浄装置、例えば特開昭５８−２１８５３１　号を図１１に示す。１は便器、２は便座、３は便座蓋、９は水洗タンク（ロータンク）である。４は衛生洗浄装置の本体ケース、５は乾燥用の温風吹出装置、７はその温風吹出口、８は洗浄水噴射ノズル、１１は洗浄水送水用ポンプ、１２は温水タンク、１３は空気圧縮機、１４は高圧空気溜め、１５は電磁弁、１６は便座２内に設けた空洞、１７は高圧ホース、１８は空気噴出ノズルである。
【０００３】
人体１０が便座２に着座し用便等の後、洗浄操作を行うと、洗浄水送水用ポンプ１１が稼働し、温水タンク１２を通して洗浄水噴射ノズル８より温水が被洗浄面に噴射され、これにより洗浄面を洗浄する。洗浄後乾燥操作により空気圧縮機１３が稼働し、高圧空気溜め１４、電磁弁１５、高圧ホース１７、空洞１６および空気噴出ノズル１８を通して高圧空気が被洗浄面に噴出し、被洗浄面に付着した水滴を吹き飛ばし拡散させる。つぎに温風吹出装置５を稼働させ風路６を通して温風吹出口７より４０度前後の温風を被洗浄面に吹き出し被洗浄面の乾燥を行う。
【０００４】
【発明が解決しようとする課題】
臀部等の被洗浄面を洗浄水により洗浄後、多量の水が付着した臀部を乾燥する場合、水滴を高圧空気で吹き飛ばすことなく温風乾燥装置により温風乾燥するとき、水が薄い水膜状になっている部分では比較的速やかに乾燥されるが、水滴状になって残留付着した部分は温風を長時間吹きつけないと乾燥せず、そのため時間がかかり過ぎ、長時間温風を当てることにより臀部に炎症が起こる可能性がある。
【０００５】
そこで、空気圧縮機を設けて空気噴出ノズルにより高速の噴流を噴射させ、残留付着した水滴を吹き飛ばし拡散させると、細かな水滴または薄い水膜状になるので、その後温風乾燥すると、濡れた被洗浄面の全体を短時間で万遍なく乾燥することができる。
【０００６】
しかし、便器の後部に配置する衛生洗浄装置の本体が大型化し、脱臭装置を含めるとさらに顕著になるという欠点があった。また人体乾燥装置を本体から出すとした場合、空気圧縮機や高圧空気溜めを含む人体乾燥装置の設置および場所が問題となる。
【０００７】
したがって、この発明の目的は、本体を大型化することがなく、しかも設置容易な人体乾燥装置を提供することである。
【０００８】
【課題を解決するための手段】
請求項１記載の人体乾燥装置は、生洗浄装置を収納する本体に設けられた乾燥ノズルと、本体外に設けられて乾燥ノズルに接続される蓄圧手段とを備え、蓄圧手段は、空気を加圧する加圧手段と、加圧された高圧空気を蓄える蓄圧タンクと、これらを保持する収納ケースとを有し、蓄圧タンクを開閉弁を介して乾燥ノズルに接続したものである。
【０００９】
請求項１記載の人体乾燥装置によれば、加圧手段、蓄圧タンクおよび収納ケースからなる蓄圧手段を単独で構成し、それを本体外に設置し、蓄圧手段の出口と本体内の乾燥ノズルとを開閉弁を介して管で接続することで、洗浄便座等に高速乾燥機能を付加することができる。また蓄圧手段を収納ケースに収めることにより本体外への設置等の取扱が容易になる。
【００１０】
請求項２記載の人体乾燥装置は、請求項１または請求項２において、収納ケースを蓄圧タンクで兼用し、加圧手段を蓄圧タンクに収納し、開閉弁を蓄圧タンクに取付けたものである。
【００１１】
請求項２記載の人体乾燥装置によれば、請求項１または請求項２と同様な効果のほか、構成が簡単になる。
【００１２】
請求項３記載の人体乾燥装置は、請求項１または請求項２において、蓄圧手段をトイレ内に設置したものである。
【００１３】
請求項３記載の人体乾燥装置によれば、請求項１または請求項２と同様な効果のほか、トイレのデッドスペースに設置することができるので、トイレ空間への影響を少なくすることができる。
【００１４】
請求項４記載の人体乾燥装置は、請求項１または請求項２において、蓄圧手段をトイレ外に設置したものである。
【００１５】
請求項４記載の人体乾燥装置によれば、請求項１または請求項２と同様な効果のほか、トイレ空間への影響をなくすことができるとともに、トイレ空間への蓄圧手段からの騒音の影響を少なくすることができる。
【００１６】
請求項５記載の人体乾燥装置は、請求項１または請求項２において、蓄圧手段を本体の側部に設置したものである。
【００１７】
請求項５記載の人体乾燥装置によれば、請求項１または請求項２と同様な効果のほか、蓄圧手段を本体近傍に設置できるので本体と接続する接続管を短くすることができる。
【００１８】
請求項６記載の人体乾燥装置は、請求項５において、蓄圧手段を本体に接続手段を介して接続するものである。
【００１９】
請求項６記載の人体乾燥装置によれば、請求項５と同様な効果のほか、蓄圧手段の設置性を向上することができる。
【００２０】
請求項７記載の人体乾燥装置は、請求項６において、接続手段が空気経路と電気経路からなるものである。
【００２１】
請求項７記載の人体乾燥装置によれば、請求項６と同様な効果のほか、空気系と電気系の各接続を簡単に行える。
【００２２】
請求項８記載の人体乾燥装置は、請求項１または請求項２において、本体に蓄圧手段を設置する蓄圧手段設置部を設けたものである。
【００２３】
請求項８記載の人体乾燥装置によれば、請求項１または請求項２と同様な効果のほか、設置性が向上する。
【００２４】
請求項９記載の人体乾燥装置は、請求項８において、蓄圧手段設置部を着脱自在に設けたものである。
【００２５】
請求項９記載の人体乾燥装置によれば、請求項８と同様な効果のほか、乾燥システムの必要性に応じて選択できるとともに設置性が向上する。
【００２６】
請求項１０記載の人体乾燥装置は、請求項１または請求項２において、本体に蓄圧手段を載せる蓄圧手段設置部を設け、蓄圧手段を蓄圧手段設置部に載せた状態で蓄圧手段が本体に差し込み可能となる接続手段を設けたものである。
【００２７】
請求項１０記載の人体乾燥装置によれば、請求項１または請求項２と同様な効果のほか、蓄圧手段の設置と同時に接続も完了することができ、設置性と信頼性が向上する。
【００２８】
【発明の実施の形態】
この発明の第１の実施の形態を図１および図２により説明する。図１は、衛生洗浄装置を装備した便器ユニットを示している。１は便器、１ａは便器ボウル、２は便座、３は便座蓋、９は水洗タンク（ロータンク）である。
【００２９】
４は衛生洗浄装置の本体の本体ケースである。この内部には洗浄水を加熱する加熱手段およびその温水を圧送する送水ポンプ（図示せず）を設け、送水ポンプに人体を洗浄する洗浄ノズル１０を接続し、洗浄ノズル１０を便器ボウル１ａに配設している。洗浄ノズル１０は洗浄時に便器ボウル１ａの後部より中央方向に向けて突出するようにしている。水道管に給水元弁を介して加熱手段に水を給水して加熱し、送水ポンプで洗浄ノズル１０に圧送し、洗浄ノズル１０から被洗浄面に噴射しこれにより洗浄が行われる。
【００３０】
また衛生洗浄装置は、洗浄後の被洗浄面を乾燥するため、被洗浄面に残留付着した水滴を吹き飛ばして飛散または拡散させる人体乾燥装置と、温風乾燥手段を設けている。
【００３１】
人体乾燥装置は、衛生洗浄装置の本体ケース４に設けられた乾燥ノズル２４と、本体ケース４外に設けられて乾燥ノズル２４に接続される蓄圧手段２３とを備え、蓄圧手段２３は便器１の側方の適所に配置され、本体ケース４の乾燥ノズル２４と配管４５により接続され、また本体ケース４の制御部（図示せず）と配線４６により接続されている。乾燥ノズル２４は洗浄後の人体の被洗浄面を乾燥させるものであり、乾燥時に便器ボウル１ａ内の中央寄りに突出して被洗浄面に略垂直に高圧空気を噴出する。この場合、乾燥ノズル２４は公知の手段例えばモータ駆動や水圧駆動により、伸縮または折り畳み可能に構成して乾燥時に便器ボウル１ａ内の中央寄りに移動させる。また乾燥ノズル２４からの噴出は開閉弁例えば電磁弁２５により制御される。
【００３２】
温風乾燥手段３１は、温風を発生する温風吐出手段と、発生した温風を被洗浄面に向けて吹き出すノズルからなる。
【００３３】
４０はコンセント、４１はコンセント４０に接続される受電部、４２は操作パネル、４３はリモコン操作器である。リモコン操作器４３は送信信号を操作パネル４２等に設けた受信部で受信させることにより、制御部により操作パネル４２を直接操作したのと同様に遠隔操作可能にしている。
【００３４】
この衛生洗浄装置は、便座蓋３を開き便座２に着座し、用便等の後に操作パネル４２またはリモコン操作器４３を操作して、まず洗浄が行われる。これは上記したように給水元弁が開き水道水が加熱手段に供給されて加熱され、送水ポンプにより洗浄ノズル１０から洗浄水が噴出し被洗浄面を洗浄する。つぎに人体乾燥装置を操作し、高圧空気を被洗浄面に吹きつけて水滴を吹き飛ばして拡散する。これは後述の加圧手段２２の動作により蓄圧手段２３に高圧空気を溜め、電磁弁２５を開いて蓄圧手段２３から乾燥ノズル２４に高圧空気を送り被洗浄面に噴出させる。その後または人体乾燥装置と同時に温風乾燥手段を操作し温風を被洗浄面に吹き出して温風乾燥する。
【００３５】
図２は蓄圧手段２３の詳細を示している。すなわち、蓄圧手段２３は、空気を加圧する加圧手段２２と、加圧された高圧空気を蓄える蓄圧タンク２３ａと、これらを収納する収納ケース４８とを有し、蓄圧タンク２３ａを電磁弁２５を介して乾燥ノズル２４に接続している。収納ケース４８は蓄圧タンク２３ａで兼用され、加圧手段２２は蓄圧タンク２３ａに収納され、電磁弁２５を蓄圧タンク２３ａに取付けている。さらに図２について説明すると、蓄圧タンク２３ａは空気入り口５０と高圧空気出口５１を有する。加圧手段２２は空気ポンプ５５とモータ５２を有し、モータ５２は防振ばね５３を介して蓄圧タンク２３ａ内に設けた取付台５４に取付けられ、配線５６が蓄圧タンク２３ａを貫通して外部に引き出されている。空気圧ポンプ５５はＬ字形板状のベース５７の一片がモータ５２の前端部に取付けられ、モータ軸に取付けた小歯車６６を貫通している。ベース５７の他片にシリンダ５８の後端部が取付けられ、その前端部に逆止作用を有する吸入弁部６０と吐出弁部６１とが設けられ、吸入弁部６０は蓄圧タンク２３ａの空気入り口５０と接続パイプ６２により接続され、排気弁部６１は蓄圧タンク２３ａ内に臨んでいる。シリンダ５８内を往復可能なピストン６３はモータ軸と平行な軸６５を介してピストンロッド６４の一端に接続され、ピストンロッド６４はベース５７の貫通穴５９を通してシリンダ５８の外部に突出している。ベース５７には小歯車６６に噛合する大歯車６７が取付けられ、大歯車６７に設けた、軸６５と平行な軸にピストンロッド６４の他端部が軸支されている。したがって、モータ５２が回動すると小歯車６６、大歯車６７が回転しこれに伴ってピストンロッド６４がクランク運動してピストン６３がシリンダ５８内を往復する。ピストン６３の吸入弁部６０および吐出弁部６１から離れる動作により吸入弁部６０および接続パイプ６２を通して蓄圧タンク２３ａの外部から空気をシリンダ５８内に吸入し、ピストン６３が吸入弁部６０および吐出弁部６１に近づく動作でシリンダ５８内の空気を圧縮して吐出弁部６１より蓄圧タンク２３ａ内に押し出す。これにより蓄圧タンク２３ａ内は次第に高圧空気がたまるようになる。
【００３６】
電磁弁２５は本体ケース４に設けてもよいが、図２では蓄圧タンク２３ａの外側に取付けられて入り口側が高圧空気出口５１に接続され、弁の出口側は乾燥ノズル２４に配管４５により接続されている。また電磁弁２５の表面はケースカバー６９で覆われている。電磁弁２５を開くと上記したように蓄圧タンク２３ａ内の高圧空気が電磁弁２５および配管４５を通って乾燥ノズル２４より噴出することができる。
【００３７】
この実施の形態によれば、加圧手段２２、蓄圧タンク２３ａおよび収納ケース４８からなる蓄圧手段２３を単独で構成し、それを本体ケース４外に設置し、蓄圧手段２３の出口と本体ケース４内の乾燥ノズル２４とを電磁弁２５を介して配管４５で接続することで、洗浄便座に高速乾燥機能を付加することができる。また蓄圧手段２３を収納ケース４８に収めることにより本体ケース４外への設置等の取扱が容易になる。さらに収納ケース４８を蓄圧タンク２３ａで兼用し、加圧手段２２を蓄圧タンク２３ａに収納し、電磁弁２５を蓄圧タンク２３ａに取付けたため、構成が簡単になる。
【００３８】
この発明の第２の実施の形態を図３に示す。この人体乾燥装置は、第１の実施の形態において、蓄圧手段２３をトイレ室７１の内部に設置している。トイレ室７１のデッドスペースに設置すると、トイレ空間への影響を少なくすることができる。
【００３９】
この発明の第３の実施の形態を図４に示す。この人体乾燥装置は、第１の実施の形態において、蓄圧手段２３をトイレ室７１の外部に設置している。トイレ空間への影響をなくすことができるとともに、トイレ空間への蓄圧手段２３からの騒音の影響を少なくすることができる。
【００４０】
この発明の第４の実施の形態を図５に示す。この人体乾燥装置は、第１の実施の形態において、蓄圧手段２３を本体ケース４の側部に取付手段により設置している。本体ケース４の近傍に設置できるので本体ケース４と接続する配管４５を短くすることができる。
【００４１】
この発明の第５の実施の形態を図６に示す。この人体乾燥装置は、第１の実施の形態において、蓄圧手段２３を本体ケース４に接続手段７３を介して接続するものである。この接続手段７３は本体ケース４側は本体外壁４ａに挿入穴７４を設け、本体ケース４内に筒状の受け部７５を設け、その受け部７５の後端に乾燥ノズル２４を配管を介して接続し、受け部７５の外周に一対の挟持片７６の中間部を連結具等（図示せず）により回動自在に支持し、挟持片７６の後端部と受け部７５の外周との間にばね７７を圧縮介在し、挟持片７６の先端に内面に凹みを有する係止部７８を設けている。一方蓄圧手段２３は電磁弁２５の出口側に接続される接続パイプ７９を突出し、その先端に例えばＯリングなどの密着部材８０を設け、先端から後端寄りの外周に例えばテーパ付きつば形状の係合部８１を突出している。接続パイプ７９を挿入穴７４に挿入し挟持片７６間に通し受け部７５に嵌合して密着部材８０を密着すると同時に、挟持片７６の先端部を係合部８１のテーパ面でばね７７に抗して押し広げ、係止部７８を係合部８１に係合させ、これにより抜止め係止している。接続パイプ７９を外すときは挟持片７６の後端部をばね７７に抗してつまむことにより係止部７８を係合部８１から離すことにより係合部８１の係止が解除される。
【００４２】
この実施の形態によれば、接続手段７３を有するので蓄圧手段２３の設置性が向上する。なお、この実施の形態において、係止部７８を凸に形成し、係合部８１を凹に形成する構成でもよい。
【００４３】
この発明の第６の実施の形態を図７に示す。この人体乾燥装置は、第５の実施の形態において、接続手段７３が空気経路の接続部７３ａと並んで電気経路の接続部７３ｂを設けている。接続部７３ａは第５の実施の形態と同構造である。接続部７３ｂは本体ケース４側の外壁４ａに挿入穴７４と並んで差し込み口８６が設けられ、差し込み口８６内にばね性のある受け具８３を設け、受け具８３は制御部に接続される。また蓄圧手段２３には受け具８３に接触する差し込みピン８４を突出し、差し込みピヒン８４はモータ５２や電磁弁２５に接続している。蓄圧手段２３の接続パイプ７９を接続すると同時に差し込みピン８４が差し込み口８６に挿入され受け具８３に接触し電気接続される。
【００４４】
この実施の形態によれば、空気系と電気系の各接続を簡単に行える。なお、差し込み口８６および受け具８３を蓄圧手段２３側に設け、差し込みピン８４を本体ケース４側に設けてもよい。
【００４５】
この発明の第７の実施の形態を図８に示す。この人体乾燥装置は、第１の実施の形態において、本体ケース４に蓄圧手段設置部９０を設けている。この蓄圧手段設置部９０は水平の取付部９１と、取付部９１の端部より垂下する垂直壁９２と、垂直壁９２の下端部より水平に延びる載せ台９３からなり、載せ台９３に蓄圧手段２３（図示せず）を載せる。７３′は蓄圧手段２３側と本体ケース４側とを配管接続および電気接続する接続手段である。
【００４６】
この発明の第８の実施の形態を図９に示す。すなわち、第７の実施の形態において、蓄圧手段設置部９０を本体ケース４に着脱自在に設けている。本体ケース４は便器１の上面に載せる取付部４ａ、その上に開閉自在に設けた便座２、便座２を開閉する便座蓋３を一体に設けている。本体ケース４の下面にねじ棒９５を垂下し、ねじ棒９５を便器１の後端両側部に設けた貫通穴（図示せず）に通し、例えばつまみナットなどのナット９６で締付けて便器１に固定する。蓄圧手段設置部９０は取付部９１にねじ棒９５が通る貫通孔９７を形成し、図９のように本体ケース４を便器１に設置する際にねじ棒９５に取付部９１の貫通孔９７を通しねじ棒９５を貫通孔９７に挿通してナット９６で締付け固定する。このとき、取付部９１は便器１の上面と本体ケース４の下面との間に挟持固定される。一方蓄圧手段設置部９０を外すときはナット９６を緩め本体ケース４を便器１から外すことにより取り出すことができる。
【００４７】
この発明の第９の実施の形態を図１０に示す。すなわち、第７および第８の実施の形態において、蓄圧手段２３を蓄圧手段設置部９０に載せた状態で蓄圧手段２３が本体ケース４に差し込み可能となる接続手段７３を設けている。接続手段７３の本体ケース４側の電気配線は本体ケース４内の制御部９９に接続され、空気配管は乾燥ノズル２４に接続されている。また接続手段７３は第６の実施の形態（図７）と同構成である。蓄圧手段２３を蓄圧手段設置部９０に載せ、接続手段７３の接続パイプ７９が受け部７５に嵌合し、差し込みピン８４が受け具８３に接触するように蓄圧手段２３を移動することにより接続を完了することができる。したがって蓄圧手段２３の設置性と信頼性が向上できる。
【００４８】
なお、この発明において、開閉弁は本体に設けてもよい。
【００４９】
【発明の効果】
請求項１記載の人体乾燥装置によれば、加圧手段、蓄圧タンクおよび収納ケースからなる蓄圧手段を単独で構成し、それを本体外に設置し、蓄圧手段の出口と本体内の乾燥ノズルとを開閉弁を介して管で接続することで、洗浄便座等に高速乾燥機能を付加することができる。また蓄圧手段を収納ケースに収めることにより本体外への設置等の取扱が容易になる。
【００５０】
請求項２記載の人体乾燥装置によれば、請求項１または請求項２と同様な効果のほか、構成が簡単になる。
【００５１】
請求項３記載の人体乾燥装置によれば、請求項１または請求項２と同様な効果のほか、トイレのデッドスペースに設置することができるので、トイレ空間への影響を少なくすることができる。
【００５２】
請求項４記載の人体乾燥装置によれば、請求項１または請求項２と同様な効果のほか、トイレ空間への影響をなくすことができるとともに、トイレ空間への蓄圧手段からの騒音の影響を少なくすることができる。
【００５３】
請求項５記載の人体乾燥装置によれば、請求項１または請求項２と同様な効果のほか、蓄圧手段を本体近傍に設置できるので本体と接続する接続管を短くすることができる。
【００５４】
請求項６記載の人体乾燥装置によれば、請求項５と同様な効果のほか、蓄圧手段の設置性を向上することができる。
【００５５】
請求項７記載の人体乾燥装置によれば、請求項６と同様な効果のほか、空気系と電気系の各接続を簡単に行える。
【００５６】
請求項８記載の人体乾燥装置によれば、請求項１または請求項２と同様な効果のほか、設置性が向上する。
【００５７】
請求項９記載の人体乾燥装置によれば、請求項８と同様な効果のほか、乾燥システムの必要性に応じて選択できるとともに設置性が向上する。
【００５８】
請求項１０記載の人体乾燥装置によれば、請求項１または請求項２と同様な効果のほか、蓄圧手段の設置と同時に接続も完了することができ、設置性と信頼性が向上する。
【図面の簡単な説明】
【図１】本発明の第１の実施の形態の衛生洗浄装置の人体乾燥装置を備えた便器の斜視図である。
【図２】人体乾燥装置の蓄圧手段の断面図である。
【図３】第２の実施の形態の斜視図である。
【図４】第３の実施の形態の斜視図である。
【図５】第４の実施の形態の斜視図である。
【図６】第５の実施の形態の本体ケースと蓄圧手段の接続状態を示す部分断面図である。
【図７】第６の実施の形態の本体ケースと蓄圧手段の接続状態を示す部分断面図である。
【図８】第７の実施の形態の斜視図である。
【図９】第８の実施の形態の組み立て過程の側面図である。
【図１０】第９の実施の形態の便器を正面側からみた斜視図である。
【図１１】従来の衛生洗浄装置を備えた便器を示し、（ａ）は部分断面図、（ｂ）は平面図である。
【符号の説明】
１　　便器
１ａ　　便器ボウル
４　　本体ケース
２２　　加圧手段
２３　　蓄圧手段
２３ａ　　蓄圧タンク
２４　　乾燥ノズル
２５　　電磁弁
４８　　収納ケース
５２　　モータ
５５　　空気ポンプ
７１　　トイレ室
７３　　接続手段
７３ａ　接続部
７３ｂ　接続部
９０　　蓄圧手段設置部
【図１】
2004092113.tif 000003
【図２】
2004092113.tif 000004
【図３】
2004092113.tif 000005
【図４】
2004092113.tif 000006
【図５】
2004092113.tif 000007
【図６】
2004092113.tif 000008
【図７】
2004092113.tif 000009
【図８】
2004092113.tif 000010
【図９】
2004092113.tif 000011
【図１０】
2004092113.tif 000012
【図１１】
2004092113.tif 000013